(57)【要約】【課題】シール性が高く低トルク化が図れ、組立作業性が良い磁性流体シール付き軸受、及び、そのような磁性流体シール付き軸受を配設した魚釣用リールを提供する。【解決手段】本発明の磁性流体シール付き軸受１において、保持板２２，２３は、内輪３ａ側に隙間Ｇが生じるように外輪３ｂに位置決め固定される。隙間Ｇ及び保持板２２，２３の固定側に生じた微小隙間Ｇ´に磁性流体２５ａ，２５ｂがそれぞれ保持される。保持板２２，２３と磁石２１との取着領域には、隙間Ｇに充填した磁性流体が隙間Ｇ側から微小隙間Ｇ´側に移動可能となる流路９０が形成される。【選択図】  図２
2016101104.tif 000002
【特許請求の範囲】
【請求項１】
内輪と外輪との間に複数の転動体を介装し、前記内輪と外輪の開口側にリング状の磁石を取着した保持板を配設し、前記リング状の磁石によって形成される磁気回路に磁性流体を保持して前記複数の転動体をシールする磁性流体シール付き軸受であって、
前記保持板は、前記内輪及び外輪のいずれか一方に隙間が生じるように、前記内輪及び外輪の他方に位置決め固定され、
前記隙間、及び、前記保持板の固定側に生じた微小隙間に前記磁性流体がそれぞれ保持され、
前記保持板とリング状の磁石の取着領域には、前記隙間に充填した磁性流体が、前記隙間側から前記微小隙間側に移動可能となる流路が形成されていることを特徴とする磁性流体シール付き軸受。
【請求項２】
前記リング状の磁石は、軸方向に磁極が向くように着磁されていることを特徴とする請求項１に記載の磁性流体シール付き軸受。
【請求項３】
前記保持板とリング状の磁石は磁力によって取着されるとともに、各対向面の少なくともいずれか一方を粗面化して前記流路を形成したことを特徴とする請求項１又は２に記載の磁性流体シール付き軸受。
【請求項４】
前記保持板とリング状の磁石の各対向面の少なくともいずれか一方に、前記流路を生じさせるように、少なくとも溝、突起、スリットのいずれか１つ以上を形成したことを特徴とする請求項１から３のいずれか１項に記載の磁性流体シール付き軸受。
【請求項５】
前記保持板は、前記リング状の磁石を挟持する外側保持板と内側保持板を備えており、
前記内側保持板は、外側保持板よりも径方向長さが短いことを特徴とする請求項１から４のいずれか１項に記載の磁性流体シール付き軸受。
【請求項６】
前記保持板は、前記リング状の磁石を挟持する外側保持板と内側保持板を備えており、
前記リング状の磁石は、前記外側保持板及び内側保持板の各内輪側端部と外輪側端部に対して１ｍｍ以内の段差が生じる大きさに形成されていることを特徴とする請求項１から４のいずれか１項に記載の磁性流体シール付き軸受。
【請求項７】
前記外輪又は内輪の転動体側内面には、前記リング状の磁石又は内側保持板を当て付ける当て付け部が形成されていることを特徴とする請求項１から６のいずれか１項に記載の磁性流体シール付き軸受。
【請求項８】
請求項１から７のいずれか１項に記載の磁性流体シール付き軸受を、回転軸を回転可能に支持する支持部材として組み込んだことを特徴とする魚釣用リール。
【発明の詳細な説明】
【技術分野】
【０００１】
本発明は、各種の駆動力伝達機構に配設され、回転軸を回転自在に支持すると共に、内部に埃や水分等の異物が侵入しないようにする磁性流体シール付き軸受に関する。また、本発明は、そのような磁性流体シール付き軸受を駆動力伝達機構の回転軸の支持部材として配設した魚釣用リールに関する。
【背景技術】
【０００２】
一般的に、各種の駆動力伝達機構に設置される回転軸は、軸受を介して回転自在に支持されている。この場合、軸受は、内輪と外輪との間に周方向に沿って複数の転動体（転がり部材）を収容した、いわゆるボールベアリング（玉軸受）を用いることが多く、これにより回転軸の回転性能の向上を図っている。
【０００３】
上記のようなボールベアリング（以下、軸受と称する）は、様々な駆動装置における駆動力伝達機構の回転軸の支持手段として用いられるが、駆動装置によっては、軸受部分を通過して、内部に埃、水分等の異物の侵入を防止したいことがある。また、軸受そのものに異物が侵入すると、回転性能が劣化したり、異音が生じる等の問題が生じる。
【０００４】
このような問題の対策として、例えば、特許文献１に開示されているように、軸受の内輪及び外輪との間に、磁石と保持板（極板）を配設して磁気回路を形成し、この磁気回路に磁性流体を保持して軸受内部を密閉するシール構造を備えた磁性流体シール付き軸受が知られている。この磁性流体シール付き軸受は、内輪との間で隙間が生じるように、外輪に磁石及び極板を固定するとともに、前記隙間に磁性流体を保持することで、軸受内部をシールするよう構成されている。
【０００５】
上記したような磁性流体シール付き軸受では、磁性流体によって隙間部分をシールすることから、ゴム等のシール構造と比較して回転性能を低下させることなく、内部の密閉効果は高まるものの、磁石及び保持板の固定側（外輪側）では、十分なシール効果が得られない可能性がある。すなわち、磁石及び保持板を固定するに際しては、組み込み性を考慮して、外輪に対して磁石が取着された保持板を圧入し、外輪の内面に形成された段部に当て付けることで磁石及び保持板を組み込むが、磁石や保持板の寸法公差の影響等により、外輪と、磁石及び保持板との間に僅かな隙間が生じてしまい、この部分から水分等の異物が入り込む可能性がある。特に、使用環境が厳しい魚釣用リールの各種駆動軸を支持する軸受では、防水・防塵性能を確保した上で、更に高い回転性能（低トルクでフリー回転性能が良い）が要求されることから、上記した特許文献１に開示されている構成では十分な性能を発揮することができない。
【０００６】
そこで、特許文献２には、磁石及び保持板の固定側（圧入側）にも磁性流体を充填することで、内部のシール性を高めた磁性流体シール付き軸受が開示されている。すなわち、保持板に取着される磁石の磁極を軸方向に向くように着磁することで内輪側及び外輪側に軸方向に対して対称となるような磁気回路を形成し、各磁気回路部分に磁性流体を保持することで、内輪側及び外輪側に磁性流体によるシール膜を形成して内部のシール性を高める構成が開示されている。
【先行技術文献】
【特許文献】
【０００７】
【特許文献１】特開昭５７−０３３２２２号
【特許文献２】特開２０１３−２２８０４４号
【発明の概要】
【発明が解決しようとする課題】
【０００８】
上記した特許文献２に開示された軸受によれば、フリー回転性能が良く、磁石及び保持板の組み込みが容易で内部のシール性が高いため、特に、魚釣用リールの各種駆動軸部分に配設する場合、好ましい構造となる。
しかし、シール膜を形成するに際しては、内外輪双方の所定位置に磁性流体を充填する作業が必要とされるため手間が掛かってしまい改良すべき余地がある。
【０００９】
本発明は、上記した問題に着目してなされたものであり、シール性が高く低トルク化が図れ、組立作業性が良い磁性流体シール付き軸受、及び、そのような磁性流体シール付き軸受を配設した魚釣用リールを提供することを目的とする。
【課題を解決するための手段】
【００１０】
上記した目的を達成するために、本発明に係る磁性流体シール付き軸受は、内輪と外輪との間に複数の転動体を介装し、前記内輪と外輪の開口側にリング状の磁石を取着した保持板を配設し、前記リング状の磁石によって形成される磁気回路に磁性流体を保持して前記複数の転動体をシールする構成であって、前記保持板は、前記内輪及び外輪のいずれか一方に隙間が生じるように、前記内輪及び外輪の他方に位置決め固定され、前記隙間、及び、前記保持板の固定側に生じた微小隙間に前記磁性流体がそれぞれ保持され、前記保持板とリング状の磁石の取着領域には、前記隙間に充填した磁性流体が、前記隙間側から前記微小隙間側に移動可能となる流路が形成されていることを特徴とする。
【００１１】
上記した構成の磁性流体シール付き軸受は、各種の駆動装置の回転軸（駆動軸）を支持する部分に配設される。前記磁性流体シール付き軸受では、リング状の磁石を取着した保持板（極板）が、内輪及び外輪のいずれか一方に隙間が生じるように、前記内輪及び外輪の他方に位置決め固定され、前記隙間の部分に磁性流体が保持される。この場合、リング状の磁石を取着した保持板は、前記内輪及び外輪の他方に位置決め固定されるが、このような構成では、固定側となる保持板（リング状の磁石）と内輪表面又は外輪表面との間に微小な隙間が形成されてしまう。特に、位置決め固定するに際して、組み込みが容易となるように、接着剤を用いることなく単に圧入によって位置決め、固定する構成では、寸法誤差等の影響によって微小な隙間が生じ易いが、本発明では、そのような微小隙間にも磁性流体が保持されることから、内部のシール性が高められる。すなわち、内輪側及び外輪側に磁性流体が保持されることから、内輪の内側表面及び外輪の内側表面を伝わり易い水分やゴミ等の異物の内部への侵入が確実に防止され、これにより軸受の回転性能を維持して回転軸の滑らかな回転を長期に亘って維持することが可能となる。
【００１２】
前記隙間、及び微小隙間に保持される磁性流体は、スポイト、注射器、ディスペンサー等の注入具を利用して隙間に対して充填すれば良い。上記したように、保持板とリング状の磁石の取着領域には、隙間に充填した磁性流体が隙間側から微小隙間側に移動可能となる流路が形成されているため、隙間に対して磁性流体を充填するだけで磁性流体は微小隙間側に移動することが可能となる。すなわち、磁性流体は、隙間に対して充填するだけで微小隙間側にも容易に保持されることが可能となるため、組立作業性の向上が図れる。また、流路については、例えば、保持板とリング状の磁石との間の密着部分が粗面化されたもの、凹凸になっているもの、溝が形成されたもの、スリットが形成されたもの等、隙間に充填された磁性流体が微小隙間側に移動できるような構成であれば良い。
【００１３】
上記した構成の磁性流体シール付き軸受は、様々な装置の回転軸の軸受として配設可能であるが、特に、確実な防水・防塵効果、及び低トルク化が要求され、使用環境が厳しい各種の魚釣用リールの回転軸部分に設置することが好ましい。
【発明の効果】
【００１４】
本発明によれば、シール性が高く低トルク化が図れ、更に組立作業性の良い磁性流体シール付き軸受、及び、そのような磁性流体シール付き軸受を配設した魚釣用リールが得られる。
【図面の簡単な説明】
【００１５】
【図１】本発明に係る磁性流体シール付き軸受の第１の実施形態を示す断面図。
【図２】図１に示す磁性流体シール付き軸受の要部拡大断面図。
【図３】図２に示す磁性流体シール付き軸受の磁石の変形構成を示す図であり、（ａ）は平面図、（ｂ）は図（ａ）のＡ−Ａ線に沿った断面図、（ｃ）は変形例を示す断面図。
【図４】磁性流体シール付き軸受の第２の実施形態を示す要部拡大断面図。
【図５】極板（保持板）の変形例を示し、（ａ）は平面図、（ｂ）は（ａ）の極板を有する磁性流体シール付き軸受の要部拡大断面図。
【図６】磁性流体シールの磁石の大きさを説明する図。
【図７】磁性流体シール付き軸受の第３の実施形態を示す要部拡大断面図。
【図８】回転軸に磁性流体シール付き軸受を配設した魚釣用リールの一例を示す図。
【図９】図８に示す魚釣用リールのスプール軸部分を拡大して示す図。
【図１０】図８に示す魚釣用リールのハンドル軸部分を拡大して示す図。
【発明を実施するための形態】
【００１６】
以下、図面を参照しながら本発明に係る磁性流体シール付き軸受の実施形態について説明する。
図１及び図２は、本発明に係る磁性流体シール付き軸受の第１の実施形態を示す図であり、図１は全体構成を示す図、図２は図１の要部拡大図である。
【００１７】
本実施形態に係る磁性流体シール付き軸受（以下、軸受とも称する）１は、円筒状で回転軸１００に回転可能に嵌合される内輪３ａと、この内輪３ａを囲繞して駆動装置の筐体（内部フレーム等）１０１に配設される円筒状の外輪３ｂと、これら内外輪３ａ，３ｂ間に介装して配設される多数の転動体（転がり部材）３ｃとを備えている。転動体３ｃは、保持器（図示せず）によって保持されており、これにより内輪３ａと外輪３ｂとを相対的に回転可能としている。
【００１８】
前記内輪３ａ、外輪３ｂ及び転動体３ｃは、本実施形態では、磁性を有する材料、例えばクロム系ステンレス（ＳＵＳ４４０Ｃ）によって形成されており、前記保持器は、耐食性、耐熱性に優れた材料、例えばステンレス材（ＳＵＳ３０４）によって形成されている。なお、転動体３ｃについては、必ずしも磁性体である必要はない。例えばセラミックス系の材料で形成することにより、磁場の影響を受けない（転動体３ｃと内外輪３ａ，３ｂが吸引されない）ようにすることができ、低トルク化することが可能となる。
【００１９】
また、本実施形態では、内輪３ａの露出端面３ｅと外輪３ｂの露出端面３ｆとが同一平面（略同一であっても良い）上になるように構成されているが、外輪３ｂを内輪３ａよりも軸方向に長く形成しても良い（外輪３ｂは内輪３ａに対して軸方向に突出した伸長円筒部を備えていても良い）し、内輪３ａを外輪３ｂよりも軸方向に長く形成しても良い。
【００２０】
前記内輪３ａと外輪３ｂの開口側には、磁性流体シール（磁気シール機構）２０が設置されている。この磁性流体シール２０は、本実施形態のように、軸受１の内部のシール性を高めるために、前記内輪３ａと外輪３ｂの両側の開口に配設しておくことが好ましいが、一方の開口に設置する構成であっても良い。
【００２１】
前記磁性流体シール２０は、リング状に構成された磁石２１と、磁石２１の軸方向外側面に接するように配置され、内輪３ａ及び外輪３ｂのいずれか一方（本実施形態では外輪３ｂ）を固定側とするリング状の外側極板（外側保持板）２２と、磁石２１の軸方向内側面に接して配置され、外側極板２２と同じ側を固定側とするリング状の内側極板（内側保持板）２３と、を備えており、前記磁石２１は、外側極板２２と内側極板２３に挟持された状態となっている。また、磁性流体シール２０は、前記磁石２１によって形成される磁気回路に保持される磁性流体（外輪側磁性流体２５ａ、内輪側磁性流体２５ｂ）を有しており、これらの構成部材により、前記転がり部材３ｃ内に、埃、水分等が侵入しないようにシールする機能を有している。なお、磁石２１及び両極板２２，２３の反固定側（本実施形態では内輪３ａ側）には、内輪３ａの外周面との間で磁性流体を保持する隙間Ｇが形成されている（勿論、磁石２１及び両極板２２，２３が内輪３ａ側に固定される場合には、隙間Ｇが外輪３ｂ側に形成される）。
【００２２】
前記磁石２１としては、磁束密度が高く、磁力が強い永久磁石、例えば、焼結製法によって作製されるネオジム磁石を用いることができ、本実施形態では、予め軸方向（軸受１の軸芯方向Ｘ）に磁極（Ｓ極、Ｎ極）が向くように着磁されている。また、磁石２１を挟持する前記外側極板２２及び内側極板２３は、磁石２１と略同一の形状となっており、磁性を有する材料、例えばステンレス（ＳＵＳ４２０）によって形成されている。
【００２３】
前記外輪側磁性流体２５ａ、内輪側磁性流体２５ｂは、例えばＦｅ3Ｏ4のような磁性微粒子を、ベースオイルに分散（界面活性剤を利用してベースオイル内に分散させている）させて構成されたものであり、粘性があって磁石を近づけると反応する特性を備えている。このため、磁性流体２５ａ，２５ｂは、磁石２１と、磁性材料で構成される内輪３ａ、外輪３ｂ及び極板２２，２３との間で形成される磁気回路Ｍ１，Ｍ２によって、所定の位置に安定して保持される。
【００２４】
また、本実施形態では、前記外輪３ｂの内面に、磁石２１に対して転動体３ｃ側に当て付け部としての段差３ｄが形成されており、この段差３ｄにより、外輪３ｂは、開口側が薄肉領域、転動体側が厚肉領域となって、軸方向の外側の内外輪３ａ，３ｂ間隔が内側よりも大きく形成されている。このような段差３ｄを形成することで、内側極板２３を開口から圧入した際、内側極板２３を段差３ｄに当て付けて正確に位置決めすることができるようになる。この場合、本実施形態の段差３ｄは、軸方向に対して垂直な面となるように形成されており、ユニット化された磁石２１、極板２２，２３を開口側から挿入し、段差（垂直な面）３ｄに対して当て付ける（吸着される）ことで、正確な位置決め固定が容易に行えるようになる。
【００２５】
なお、段差３ｄについては、本実施形態のように、軸方向Ｘに対して垂直な面に限定されるものではなく、例えば、階段状に形成されていたり、傾斜状（斜面）に形成されていても良い。また、位置決め、固定するためのこのような段差については、内輪３ａ側（内輪３ａの転動体側内面）に形成しておいても良い。
【００２６】
前記極板２２，２３は、その外径が外輪３ｂの内周面（薄肉領域の内周面）に対して僅かに大きく形成されており、これに取着された磁石２１と共に、外輪３ｂの開口側に圧入されるようになっている（外輪側に極板２２，２３が固定される）。この場合、磁石２１を挟持した極板２２，２３の軸受に対する組み付けは、圧入以外にもすきまばめ、磁力固定であっても良い。
【００２７】
前記磁石２１を取着した極板２２，２３は、外輪３ｂに対して圧入した際、内輪３ａの外周面との間で、所定の前記隙間Ｇが生じる大きさに形成されている。前記磁石２１は、その径が、極板２２，２３の径よりも小さくなるように形成されており、図２に示すように、磁石２１は、組み付け状態において、その径方向の端面が、各極板２２，２３の端面から突出しないように各極板に取着されている。この場合、磁石２１は、組み付け状態において、外輪３ｂの内面との間に、０．０１〜０．１０ｍｍ程度の微小隙間Ｇ´が生じるように取着されていることが好ましく、このような微小隙間Ｇ´内においても外輪側磁性流体２５ａが保持されている。すなわち、このような微小隙間Ｇ´部分にも外輪側磁性流体２５ａを保持しておくことによって、内部の確実なシールが成されるとともに磁性流体の貯留機能が発揮され、外側極板２２と外輪３ｂとの間に保持された外輪側磁性流体２５ａや、内側極板２３と外輪３ｂとの間に保持された外輪側磁性流体２５ａが流出しても、ある程度、シール効果を維持することが可能となる。なお、このような微小隙間Ｇ´は、３６０°に亘って形成されていても良いし、周方向に部分的に形成された構成であっても良い。
【００２８】
また、本実施形態では、前記磁石２１と両極板２２，２３とは、互いに接着されておらず、磁力によって取着されているが、接着されていても良い。そして、極板２２，２３と磁石２１とのこの取着領域には、隙間Ｇに充填した磁性流体が隙間Ｇ側から微小隙間Ｇ´側に移動可能となる流路９０が形成されている。この流路９０は、例えば、磁石２１および両極板２２，２３の各対向面の少なくともいずれか一方を粗面化することで形成可能であり、磁石２１と対向する極板２２，２３の少なくとも一方の対向面が粗面化されたもの、あるいは、極板２２，２３と対向する磁石２１の両側の対向面のうちの少なくとも一方が粗面化されたものであってもよく、このような粗面化構成により、単に極板２２，２３と磁石２１を接着しないで磁石によって取着するだけで、上記した流路を容易に形成することが可能となる。
【００２９】
なお、ここでの粗面状態は、磁性流体が隙間Ｇ側から微小隙間Ｇ´側に移動可能であれば、その程度は特定の構造に限定されるものではなく、例えば、対向表面をバレル仕上げ、ショットブラスト処理等することによって形成することが可能である。また、このような粗面化処理（あるいは前記流路９０）は、磁性流体が隙間Ｇ側から微小隙間Ｇ´側に移動可能であれば、対向面の全体にわたって施される必要はなく、対向面の一部分のみに施されていてもよい。
【００３０】
上記したように、本実施形態では、軸方向に磁極が向くように着磁された磁石２１を極板で挟持しており、前記磁石を挟持した極板２２，２３を外輪３ｂに圧入すると、内輪３ａ側、及び外輪３ｂ側には、軸方向に対して対称となるような磁束（磁気回路Ｍ１，Ｍ２）が形成される。このため、上記した磁石２１、極板２２，２３と内輪３ａとの間の隙間Ｇ、及び、磁石２１と外輪３ｂとの間の微小隙間Ｇ´には、それぞれ内輪側磁性流体２５ｂ、及び外輪側磁性流体２５ａを保持させることが可能となる。具体的には、磁性流体をスポイト、注射器、ディスペンサー等の注入器具によって前記隙間Ｇに充填すると、内輪側で形成されている磁気回路Ｍ１によって、隙間Ｇ（内輪３ａと外側極板２２との間、内輪３ａと内側極板２３との間、内輪３ａと磁石２１との間の内の１箇所以上）に内輪側磁性流体２５ｂによるシールがなされる。
【００３１】
また、このとき、隙間Ｇに注入された磁性流体は、磁石２１と極板２２，２３との界面（対向面）に形成される前記流路９０に発生している磁力を通じて、隙間Ｇ側から微小隙間Ｇ´側へと移動する。そして、このようにして移動された磁性流体は、外輪３ｂと磁石２１との間の前記微小隙間Ｇ´に流れ込むと共に、寸法公差等の影響によって生じる外輪３ｂと外側極板２２との間の微小隙間Ｇ´´および外輪３ｂと内側極板２３との間の微小隙間Ｇ´´にも流れ込む。そして、外輪３ｂと内側極板２３との間の微小隙間Ｇ´´に流れ込んだ磁性流体は、段差３ｄとこの段差３ｄに突き当てられる内側極板２３との間にも微小隙間が存在している場合には、前記微小隙間Ｇ´´を通じて更に転動体３ｃ側にも浸透して行き、段差３ｄのエッジ部分と内側極板２３との境界部位に盛り上がるように保持されるようになり、シール効果が更に高められる。すなわち、外輪３ｂと外側極板２２との間（微小隙間Ｇ´´）、外輪３ｂと内側極板２３との間（微小隙間Ｇ´´）、さらには、外輪３ｂと磁石２１との間（微小隙間Ｇ´）の内の１箇所以上で外輪側磁性流体２５ａによるシールがなされる。
【００３２】
以上のように構成された磁性流体シール付き軸受１は、各種の駆動装置の回転軸（駆動軸）を支持する部分に配設される。上記したように、リング状の磁石２１、及び、これを挟持するように保持する外側／内側極板２２，２３によって、内外輪のそれぞれに、内輪側磁性流体２５ｂ及び外輪側磁性流体２５ａが保持されているため、内輪３ａの外側表面及び外輪３ｂの内側表面を伝わり易い水分やゴミ等の異物の内部への侵入が確実に防止され、これにより軸受１の回転性能を維持して回転軸１００の滑らかな回転を長期に亘って維持することが可能となる。
【００３３】
また、上記した磁性流体シール付き軸受１では、外側／内側極板２２，２３とリング状の磁石２１との取着領域に、隙間Ｇに充填した磁性流体が隙間Ｇ側から微小隙間Ｇ´側に移動可能となる流路９０が形成されているため、隙間Ｇに対して磁性流体を充填するだけで磁性流体は微小隙間Ｇ´（微小隙間Ｇ´´）側に移動することが可能となる。すなわち、磁性流体は、隙間Ｇに対して充填するだけで微小隙間Ｇ´，Ｇ´´側にも保持されるため、磁性流体充填作業を含む組立作業性の向上が図れる。
【００３４】
また、本実施形態では、磁石２１と転動体３ｃとの間に内側極板２３が存在しているため、図２に示すように、外側極板２２から内側極板２３へ向かって閉じる磁界による磁気回路Ｍ１，Ｍ２が形成されるようになり、転動体３ｃの部分には強い磁界が生じることはない。このため、転動体３ｃとこれに接触する内外輪３ａ，３ｂとの吸引力を抑制して低トルク化を図ることが可能となる。
【００３５】
また、上記した磁性流体シール付き軸受１の構成部材については、耐食性を有するものであることが好ましい。これは、磁性流体２５ａ，２５ｂでシールされない領域に海水等が侵入して塩分が付着してしまうことがあり、これにより発錆する可能性があるためである。具体的には、構成部材である内輪３ａ、外輪３ｂ及び外側極板２２については、例えば、表面に電解クロム酸処理又は無電解ニッケルメッキ処理等の耐食性処理を施しておくことで、部材そのものの耐食性を向上することが可能となり、磁性流体シール２０でシールされない露出領域から発錆することを効果的に防止することが可能となる。或いは、そのような表面処理をするのではなく、構成材料そのものを高耐食性のある素材（高耐食材）で構成しても良い。このような高耐食材としては、例えば、耐食性に優れたＣｒやＭｏを含有したステンレス系の材料で構成することができ、前記Ｃｒについては、１２〜１８％、前記Ｍｏについては、１〜３％程度含有することで、塩水に対して耐食性に優れた素材とすることが可能となる。なお、上記のような耐食性処理を行なったり、高耐食性材料で構成するのは、内輪３ａ、外輪３ｂ及び外側極板２２の内、１つ以上であればよい。
【００３６】
図３は、隙間Ｇに充填した磁性流体を微小隙間Ｇ´側へ移動させるための前記流路９０の変形例を示している。この変形例では、極板と対向する磁石２１の片面または両面に溝５０を形成することで流路としている。そのような溝５０は、図３（ａ）に示されるように、複数設けられてもよく、磁石２１の内周面から外周面に至るまで、極板２２，２３に対する磁石２１の対向面２１ａ及び／又は２１ｂの径方向寸法の全体にわたって形成されていてもよい。図３（ａ）の例では、前記流路９０を形成する複数の径方向溝５０が磁石２１の対向面２１ａに放射状の配置を成して設けられており、その形状は、図３（ｂ）に示すように、断面が略半円形に形成されている。或いは、図３（ｃ）に示すように、そのような溝５０（流路９０）は、磁石２１の両側の対向面２１ａ，２１ｂに形成してもよく、その断面形状についても、略台形状にする等、適宜変形することが可能である。
【００３７】
また、隙間Ｇに充填した磁性流体を微小隙間Ｇ´側へ移動させるための流路は、図３に示すような溝である必要はなく、例えば、対向面に形成される突起（対向面に形成された凹凸同士の接触）、対向面同士の部分的な接着などであってもよい。また、これらの溝、突起、凹凸等は、それらが流路の全体を形成する必要はなく、例えば前述した粗面との組み合わせによって前記流路を生じさせるものでも良い。また、そのような溝、突起、凹凸等は、磁石２１と対向する極板２２，２３の対向面に設けられていてもよい。すなわち、溝、突起、凹凸等を形成することによって、磁性流体の貯留量を多く確保することが可能となる。
【００３８】
次に、本発明の磁性流体シール付き軸受の別の実施形態について説明する。
なお、以下の実施形態では、上記した実施形態と同様な部分については、同一の参照符号を付し、詳細な説明については省略する。
【００３９】
図４は、磁性流体シール付き軸受の第２の実施形態を示す。本実施形態の磁性流体シール２０Ａでは、内側極板２３の径方向長さが外側極板２２のそれよりも短く設定されている。このような構成によれば隙間Ｇ側に充填した磁性流体は、磁石２１の転動体側表面に沿って移動可能となり、短い部分は極板が存在しないことから移動する際の抵抗がなくなり、隙間Ｇに充填した磁性流体が、外輪３ｂ側の磁気回路Ｍ２による磁界の吸引力を受けて微小隙間Ｇ´，Ｇ´´側へ移動し易くなる。
【００４０】
図５（ａ）は、隙間Ｇに充填した磁性流体を微小隙間Ｇ´，Ｇ´´側へ移動させるための流路９０の変形例を示しており、図５（ｂ）は、図５（ａ）の極板を有する磁性流体シール付き軸受の要部拡大断面図である。この変形例では、転動体３ｃに対向する内側の極板２３に、内周面側から外周側に向けて、径方向に延びるスリット５２を形成して流路９０としている。このようなスリット５２は、周方向に亘って複数個所形成してもよく、又、両極板２２，２３に形成してもよい。また、極板には、このようなスリットの他に、上記したような溝や凹凸等による流路を形成しておいてもよい。
【００４１】
このような構成の極板２２，２３を有する磁性流体シール２０Ｂでは、図５（ｂ）に示されるように、隙間Ｇに注入された磁性流体は、極板２３のスリット５２を通じて外輪側へ移動し易くなる。特に、磁石２１と極板２３との界面（対向面）に上記したような流路９０を形成しておくことで、磁性流体は流路９０を通じて微小隙間Ｇ´，Ｇ´´側へ移動し易くなる。なお、極板２３と磁石２１は、接着しないで磁力で取着されている。
【００４２】
上記した磁性流体シール２０，２０Ａ，２０Ｂでは、磁石２１は、その径が極板２２，２３の径よりも小さくなるように形成されているが、図６に示すように、磁石２１は、外側極板２２及び内側極板２３の各内輪側端部２２ｃ，２３ｃと、各外輪側端部２２ｂ，２３ｂに対して、それぞれ１ｍｍ以内の段差５５が生じる大きさに形成されていることが好ましい。すなわち、磁石２１の外輪側端部２１ｃと外側極板２２及び内側極板２３の各外輪側端部２２ｂ，２３ｂとの間の径方向寸法Ｈ２が１ｍｍ以内に設定されるとともに、磁石２１の内輪側端部２１ｄと外側極板２２及び内側極板２３の各内輪側端部２２ｃ，２３ｃとの間の径方向寸法Ｈ１が１ｍｍ以内に設定されることが好ましい。
【００４３】
これは、この寸法を超えて磁石が小径化すると、各磁気回路Ｍ１，Ｍ２の磁力が弱くなってしまい、隙間Ｇに充填された磁性流体が、磁気回路の吸引力によって、極板２２，２３の表面（磁石２１と極板２２，２３との対向面）の流路を通じて微小隙間側へ移行しにくくなるからである。すなわち、磁石２１の径を上記したように設定することで、隙間Ｇ側に充填された磁性流体は、微小隙間Ｇ´，Ｇ´´側へ移動し易くなる。
【００４４】
図７は、磁性流体シール付き軸受の第３の実施形態を示す図である。図示のように、本実施形態の磁性流体シール２０Ｃでは、第１の実施形態の構成から内側極板２３が省かれて、外輪３ｂの段差３ｄに磁石２１が突き当てられて位置決めされた構成となっている。
【００４５】
このような構成でも、第１の実施形態と同様の作用効果が得られる。すなわち、磁性流体を隙間Ｇに充填すると、内輪３ａ側で形成されている磁気回路Ｍ１によって、隙間Ｇ（内輪３ａと外側極板２２との間、および、内輪３ａと磁石２１との間）に内輪側磁性流体２５ｂによるシールがなされるとともに、隙間Ｇに注入された磁性流体は、磁石２１と外側極板２２との対向面に形成される流路９０に発生している磁力を通じて微小隙間Ｇ´、Ｇ´´側へと移動する。そして、このようにして移動された磁性流体は、外輪３ｂと磁石２１との間の前記微小隙間Ｇ´に流れ込むとともに、段差３ｄとこの段差３ｄに突き当てられる磁石２１との間に微小隙間Ｇ´´が存在する場合には、この微小隙間Ｇ´´を通じて更に転動体３ｃ側に浸透して行き、段差３ｄのエッジ部分と磁石２１との境界部位に盛り上がるように保持されるようになり、内輪側および外輪側でシールが形成される。
【００４６】
なお、このような構成では、内側極板２３を省略したことにより、軸方向寸法を小型化することが可能となる。また、このような構成では、転動体３ｃの両側に磁性流体シール２０Ｃを配設する場合、転動体３ｃを挟んで対向する各磁石は、異極が対向するように配設することが好ましい。すなわち、異極同士が対向することで、磁力線は転動体の内部を通過する傾向が強くなり、軸方向に対して直交する方向の磁力が弱まるようになる。このように軸方向に対して直交する方向の磁力が弱まると、転動体３ｃの、内輪側及び外輪側に対する吸引力が弱まることから、低トルク化を図ることが可能となる。
【００４７】
以上のように構成される磁性流体シール付き軸受１は、様々な駆動装置の回転軸の支持部材として用いることができ、例えば、各種の魚釣用リール（両軸受けリール、スピニングリール、電動リールなど）に組み込まれた駆動力伝達機構の回転軸の支持部材として用いることが可能である。特に魚釣用リールは、水分、塩分、砂、埃など、外部環境が厳しい状況下で使用されるため、上記したような磁性流体シール付き軸受１を内部に組み込むことで、ハンドルの回転操作等によって回転駆動される回転軸の回転性能を向上し、長期に亘って安定した回転特性を得ることができる。
【００４８】
また、これらの魚釣用リールの内、特に、ベイトキャストに用いられる両軸受けリールでは、上記したように、より低トルク化した構成のものをスプール軸の支持部材として用いることで、防水・防塵効果に加え、スプールのフリー回転性能を向上することが可能となる。
【００４９】
図８〜図１０は、本発明に係る魚釣用リールの一実施形態（両軸受けリール）を示す図であり、図８は全体構成を示す図、図９は図８に示す魚釣用リールのスプール軸部分を拡大して示す図、そして、図１０は図８に示す魚釣用リールのハンドル軸部分を拡大して示す図である。
【００５０】
本実施形態における魚釣用リールでは、以下に説明するように、スプールを回転可能に支持するスプール軸、及び、巻き取り操作されるハンドルのハンドル軸の支持部材として、上記した構成の磁性流体シール付き軸受１を配設している。
【００５１】
図８に示すように、本実施形態に係る両軸受けリール３０のリール本体３１は、左右フレーム３２ａ，３２ｂにそれぞれカバー部材３３ａ，３３ｂを取着した左右側板３１Ａ，３１Ｂを有しており、これら左右の側板３１Ａ，３１Ｂ間には、釣糸が巻回されるスプール３４ａが一体的に固定されたスプール軸３４が上記した構成の磁性流体シール付き軸受１を介して回転自在に支持されている。これらの磁性流体シール付き軸受１は、左右フレーム３２ａ，３２ｂに対して外輪３ｂが装着され、スプール軸３４を回転可能に支持している。
【００５２】
前記スプール軸３４の端部には、スプール軸３４の軸方向に沿って移動可能なピニオンギア３５が取り付けられている。この場合、ピニオンギアは、スプール軸３４を同軸上に延長させて支持しても良いし、スプール軸３４と同軸上に支軸を回転可能に配設し、その支軸に回転可能に支持する構成であっても良い。
【００５３】
前記ピニオンギア３５は、公知の切換手段によって、スプール軸３４と係合してスプール軸３４と一体に回転する係合位置（動力伝達状態；クラッチＯＮ）と、スプール軸３４との係合状態が解除される非係合位置（動力遮断状態；クラッチＯＦＦ）との間で軸方向に沿って移動される。前記切換手段は、左右の側板３１Ａ，３１Ｂ間に配設される切換えレバー３６と、切換えレバー３６の押下げ操作によって回動するクラッチプレート３７とを備えており、切換えレバー３６を押下げ操作することで、クラッチプレート３７を介して動力伝達状態から動力遮断状態に切換えることが可能となっている。
【００５４】
前記右側板３１Ｂ側には、右フレーム３２ｂとの間、及び右カバー３３ｂとの間に設置される軸受、及び前記磁性流体シール付き軸受１によってハンドル軸４０が回転可能に支持されており、このハンドル軸４０の端部にハンドル４２が取り付けられている。また、ハンドル軸４０と右カバー３３ｂとの間には、公知のように、逆転防止機構として一方向クラッチが配設されており、ハンドル軸４０（ハンドル４２）は、釣糸巻取方向のみに回転して逆回転が阻止されるようになっている。
【００５５】
前記ピニオンギア３５には、ハンドル軸４０に支持された駆動歯車（ドライブギア）４６が噛合しており、ハンドル軸４０の端部に装着されたハンドル４２を回転操作すると、前記ドライブギア４６とピニオンギア３５とを介して、スプール軸３４が回転駆動され、それに伴ってスプール３４ａが回転して釣糸が巻回される。
【００５６】
このような形式の魚釣用リールでは、特に、スプール３４ａの回転性能が要求されるため、従来では、軸受部分を効果的にシールすることはできなかったが、上記したような構成の磁性流体シール付き軸受１を配設することにより、防水・防塵効果が得られることに加え、スプールの回転性能を損なわないようにすることが可能となる。すなわち、海水が付着、侵入し易い環境の厳しい状況下で使用されても、回転軸（スプール軸３４、ハンドル軸４０）を回転可能に支持する軸受内部が防水されて塩ガミの発生を確実に防止できるので、安定したシール機能を長期間維持して回転軸の滑らかな回転を長期に亘って維持することが可能となる。
【００５７】
この場合、スプール軸３４やハンドル軸４０に使用される軸受の大きさはある程度特定される（外径が１０〜２０ｍｍ程度、内径が３〜１０ｍｍ程度）のであり、このような大きさの磁性流体シール付き軸受１であれば、図２に示した隙間Ｇを０．０５〜０．３ｍｍ、好ましくは０．１〜０．２ｍｍに設定しておくことで、十分なシール効果が得られることに加え、低トルク化を図ることが可能となる。
なお、本実施形態の両軸受けリールでは、ピニオンギア３５を回転可能に支持する軸受４８ａ、及び、ハンドル軸４０の基端側でハンドル軸を回転可能に支持する軸受についても、同様なシール構造を設置した磁性流体シール付き軸受１としても良い。
【００５８】
また、上記したような構成の磁性流体シール付き軸受１を所定の位置に組み込む際、その周辺に磁性体（磁性材）があると、そこに引き寄せられて組み込み作業性が低下したり、或いは、その近辺に新たな磁気回路が形成されてしまい、磁性流体が移動してシール性が低下する可能性がある。このため、上記した磁性流体シール付き軸受１をリール本体のフレーム部分やカバー部分に組み込むに際しては、それに隣接する部品、例えば、リール本体、フレーム、軸、カバー、ハウジング等、軸受に対して径方向及び軸方向に隣接する部品については、非磁性材料（アルミニウム、オーステナイト系ステンレス、銅合金、樹脂等）で構成しておくことが好ましい。
このように構成することで、組み込み性の向上が図れると共に、確実なシール性を維持することが可能となる。
【００５９】
以上、本発明の実施形態について説明したが、本発明は、上述した実施形態に限定されることはなく、種々変形して実施することが可能である。
【００６０】
上述した磁気シール機構の構成については一例を示したに過ぎず、磁石や極板の構成や配置態様については適宜変形することが可能である。例えば、外輪や内輪の軸方向の位置決め方法、更には、外輪表面や内輪表面に対するシール方法等、適宜変形することが可能である。
【符号の説明】
【００６１】
１  磁性流体シール付き軸受
３ａ  内輪
３ｂ  外輪
３ｃ  転動体
３ｄ  段差（当て付け部）
２０  磁性流体シール
２１  リング状の磁石
２２  外側極板（外側保持板）
２３  内側極板（内側保持板）
２５ａ  外輪側磁性流体
２５ｂ  内輪側磁性流体
３０  両軸受けリール（魚釣用リール）
５０  溝（流路）
５２  スリット（流路）
５５  段差
９０  流路
Ｇ  隙間
Ｇ´，Ｇ´´  微小隙間
【図１】
2016101104.tif 000003
【図２】
2016101104.tif 000004
【図３】
2016101104.tif 000005
【図４】
2016101104.tif 000006
【図５】
2016101104.tif 000007
【図６】
2016101104.tif 000008
【図７】
2016101104.tif 000009
【図８】
2016101104.tif 000010
【図９】
2016101104.tif 000011
【図１０】
2016101104.tif 000012